(57)【要約】【課題】  自在継手用ブーツにおいて、締付バンドのブーツへの干渉を防止し、ブーツの破損を回避すること。【解決手段】  ２つのシャフト１１、１２を連結する自在継手２０の接続空間２０Ａを密封可能にするものであり、可撓性材料からなり、一方のシャフト側に取付けられる大径取付部４１と、他方のシャフト側に取付けられる小径取付部４２と、大径取付部４１と小径取付部４２の間の屈曲部４３とを有し、小径取付部４２の外周の環状部４４に被着される締付バンド５０により該小径取付部４２を他方のシャフト側に取付ける自在継手用ブーツ４０のための取付装置において、ブーツ４０の小径取付部４２の環状部４４の両側に、締付バンド５０より径方向の外方に張出る張出部４５、４６を設け、ブーツ４０の小径取付部４２の環状部４４に被着された締付バンド５０を覆うプロテクタ６０を、該環状部４４の両側に設けた張出部４５、４６の周囲に被着してなるもの。【選択図】  図３
2007051677.tif 000002
【特許請求の範囲】
【請求項１】
２つのシャフトを連結する自在継手の接続空間を密封可能にするものであり、
可撓性材料からなり、一方のシャフト側に取付けられる大径取付部と、他方のシャフト側に取付けられる小径取付部と、大径取付部と小径取付部の間の屈曲部とを有し、
小径取付部の外周の環状部に被着される締付バンドにより該小径取付部を他方のシャフト側に取付ける自在継手用ブーツのための取付装置において、
ブーツの小径取付部の環状部の両側に、締付バンドより径方向の外方に張出る張出部を設け、
ブーツの小径取付部の環状部に被着された締付バンドを覆うプロテクタを、該環状部の両側に設けた張出部の周囲に被着してなることを特徴とする自在継手用ブーツのための取付装置。
【請求項２】
前記小径取付部の環状部を溝状にする請求項１に記載の自在継手用ブーツのための取付装置。
【請求項３】
前記張出部を鍔状にする請求項１又は２に記載の自在継手用ブーツのための取付装置。
【請求項４】
前記張出部が締付バンドの接合突部より径方向の外方に張出る請求項１〜３のいずれかに記載の自在継手用ブーツのための取付装置。
【請求項５】
前記プロテクタが弾性材料からなり、前記両側の張出部の周囲に弾性的縮径力をもって被着される請求項１〜４のいずれかに記載の自在継手用ブーツのための取付装置。
【請求項６】
前記プロテクタが前記両側の張出部と軸方向で係合する抜け止め凸部を備えてなる請求項１〜５のいずれかに記載の自在継手用ブーツのための取付装置。
【発明の詳細な説明】
【技術分野】
【０００１】
本発明は、プロペラシャフト等に用いて好適な自在継手用ブーツのための取付装置に関する。
【背景技術】
【０００２】
従来の車両において、エンジンの出力を後輪に伝達するプロペラシャフトは軸方向に分割され、分割された前後２本のシャフトを自在継手で連結している。そして、自在継手の接続空間へのダスト、泥水等の侵入を防止するためのブーツを用い、ブーツの一端を一方のシャフト側に取付け、他端を他方のシャフト側に取付けている。
【０００３】
従来の自在継手用ブーツ１は、図７に示す如く、可撓性材料からなり、一方のシャフト側に取付けられる大径取付部１Ａと、他方のシャフト側に取付けられる小径取付部１Ｂと、大径取付部と小径取付部の間の略Ｕ字状断面をなす屈曲部１Ｃとを有して構成されている。そして、特許文献１、２に記載の如く、自在継手用ブーツ１の大径取付部１Ａはブーツアダプタ２に抱着される状態で一方のシャフト側に取付けられ、小径取付部１Ｂは外周の溝状環状部１Ｄに被着される締付バンド３により他方のシャフト側に取付けられる。尚、締付バンド３は帯状の金属製バンド本体３Ａを環状部１Ｄの周囲に巻回し、バンド本体３Ａの両端部を重ね合わせて接合し、その外周に接合突部３Ｂが形成される。
【特許文献１】実用2563229
【特許文献２】特開平8-28704
【発明の開示】
【発明が解決しようとする課題】
【０００４】
特許文献１、２の自在継手用ブーツ１は、小径取付部１Ｂにおいて締付バンド３が被着される環状部１Ｄの溝深さを、締付バンド３のバンド本体３Ａの両端部が重ね合わせて固着される接合突部３Ｂの高さより浅くしており、締付バンド３のバンド本体３Ａ〜接合突部３Ｂが小径取付部１Ｂの外周上にて外方に突出する（小径取付部１Ｂの軸線方向投影視における最大外径輪郭線から突出する）。このため、自在継手用ブーツ１を取付けた２本のシャフトが互いにスライドかつ屈曲した場合には、図８に示す如く、小径取付部１Ｂに被着してある締付バンド３のバンド本体３Ａ、特に接合突部３Ｂが大径取付部１Ａ〜屈曲部１Ｃの外面に干渉し、自在継手用ブーツ１を破損するおそれがある。
【０００５】
本発明の課題は、自在継手用ブーツにおいて、締付バンドのブーツへの干渉を防止し、ブーツの破損を回避することにある。
【課題を解決するための手段】
【０００６】
請求項１の発明は、２つのシャフトを連結する自在継手の接続空間を密封可能にするものであり、可撓性材料からなり、一方のシャフト側に取付けられる大径取付部と、他方のシャフト側に取付けられる小径取付部と、大径取付部と小径取付部の間の屈曲部とを有し、小径取付部の外周の環状部に被着される締付バンドにより該小径取付部を他方のシャフト側に取付ける自在継手用ブーツのための取付装置において、ブーツの小径取付部の環状部の両側に、締付バンドより径方向の外方に張出る張出部を設け、ブーツの小径取付部の環状部に被着された締付バンドを覆うプロテクタを、該環状部の両側に設けた張出部の周囲に被着してなるようにしたものである。
【０００７】
請求項２の発明は、請求項１の発明において更に、前記小径取付部の環状部を溝状にするようにしたものである。
【０００８】
請求項３の発明は、請求項１又は２の発明において更に、前記張出部を鍔状にするようにしたものである。
【０００９】
請求項４の発明は、請求項１〜３のいずれかの発明において更に、前記張出部が締付バンドの接合突部より径方向の外方に張出るようにしたものである。
【００１０】
請求項５の発明は、請求項１〜４のいずれかの発明において更に、前記プロテクタが弾性材料からなり、前記両側の張出部の周囲に弾性的縮径力をもって被着されるようにしたものである。
【００１１】
請求項６の発明は、請求項１〜５のいずれかの発明において更に、前記プロテクタが前記両側の張出部と軸方向で係合する抜け止め凸部を備えてなるようにしたものである。
【発明の効果】
【００１２】
（請求項１）
(a)自在継手用ブーツの小径取付部において締付バンドが被着される環状部の両側に、締付バンドより径方向の外方に張出る張出部を設け、締付バンドを覆うプロテクタを両側の張出部の周囲に被着した。張出部は小径取付部の周方向の全周に連続状をなしても良く、断続状をなしても良い。従って、締付バンド（バンド本体〜接合突部）が小径取付部の外面上にて張出部よりも外方に突出することがなく、しかもプロテクタにより覆われる。このため、自在継手用ブーツを取付けた２本のシャフトが互いにスライドかつ屈曲するとき、小径取付部の張出部の周囲に被着したプロテクタが、ブーツの大径取付部〜屈曲部の外面に先に当接して、換言すれば金属製締付バンド（バンド本体〜接合突部）がゴム製大径取付部〜屈曲部の外面に直接干渉することを防止し、自在継手用ブーツの傷、破損等を簡易に回避する。
【００１３】
（請求項２）
(b)締付バンドが被着される小径取付部の環状部を溝状にすることにより、小径取付部への締付バンドの取付性を向上できる。
【００１４】
（請求項３）
(c)小径取付部において締付バンドが被着される環状部の両側に設けられる張出部を鍔状にし、張出部を小径取付部の周方向の全周に連続状をなすものとすることにより、締付バンド（バンド本体〜接合突部）のブーツへの干渉を確実に防止できる。
【００１５】
（請求項４）
(d)小径取付部において締付バンドが被着される環状部の両側に設けられる張出部が締付バンドの接合突部より径方向の外方に張り出るように設けられるから、締付バンドの接合突部が自在継手用ブーツの大径取付部〜屈曲部の外面に干渉し破損することを確実に防止できる。
【００１６】
（請求項５）
(e)プロテクタが弾性材料からなり、両側の張出部の周囲に弾性的縮径力をもって被着されるようにしたから、プロテクタの取付性を向上できる。プロテクタがゴム等の弾性柔軟材料により構成されるとき、ブーツの損傷を確実に防止できる。
【００１７】
（請求項６）
(f)プロテクタが両側の張出部と軸方向で係合する抜け止め凸部を備えることにより、プロテクタの単純な形状により、プロテクタの脱落を防止できる。
【発明を実施するための最良の形態】
【００１８】
図１は自在継手用ブーツのプロペラシャフトへの取付構造を示す断面図、図２は図１の斜視図、図３は自在継手用ブーツと締付バンドとプロテクタを示す断面図、図４は自在継手用ブーツの屈曲状態を示す断面図、図５はプロテクタの変形例を示す断面図、図６はプロテクタの変形例を示す断面図、図７は従来の自在継手用ブーツと締付バンドを示す断面図、図８は従来の自在継手用ブーツの屈曲状態を示す断面図である。
【実施例】
【００１９】
図１は、エンジン側と後輪側の一方に接続される第１プロペラシャフト１１と、エンジン側と後輪側の他方に接続される第２プロペラシャフト１２を、等速自在継手（スライダブルジョイント）２０により連結した部分を示している。
【００２０】
自在継手２０は、第１プロペラシャフト１１に接続されたアウタ２１と、第２プロペラシャフト１２に接続されたインナ２２とを有し、インナ２２に設けたトリポード２３に装填したローラ２４をアウタ２１に設けた溝２５に嵌入して構成される。
【００２１】
自在継手２０にあっては、アウタ２１とインナ２２の接続空間（グリース充填室）２０Ａを、金属薄板からなる概ね筒状のブーツアダプタ３０とゴム状弾性体（可撓性材料）からなるブーツ４０を用いて密封し、ローラ２４の摺動性、耐久性を向上するためのグリースをこの接続空間２０Ａに封入する。ブーツ４０は、外部からの接続空間２０Ａ内部へのダスト、泥水等の侵入を防止する。
【００２２】
ブーツアダプタ３０は、第１プロペラシャフト１１のアウタ２１の先端側の外周に設けたアダプタ取付部２１Ａに圧入等により取付けられる基端部３１と、基端部３１からブーツ４０を覆うようにインナ２２の軸方向に延在される先端部３２を有する。
【００２３】
ブーツ４０は、ブーツアダプタ３０の先端部３２の曲げ加工された抱着部３２Ａに抱着されて結合される大径取付部４１と、第２プロペラシャフト１２のインナ２２のブーツ取付部２２Ａに嵌着されて締付バンド５０で緊締される小径取付部４２を有する。尚、ブーツ４０は、大径取付部４１と、小径取付部４２の間で略Ｕ字状断面をなし、接続空間２０Ａの内方へ入る側に向けて屈曲する屈曲部４３を有する。
【００２４】
以下、ブーツ４０の小径取付部４２に対する締付バンド５０の被着構造について説明する。
【００２５】
ブーツ４０は、小径取付部４２の外周の溝状環状部４４に被着される締付バンド５０により、小径取付部４２を第２プロペラシャフト１２のインナ２２のブーツ取付部２２Ａに緊締されて取付けられる。締付バンド５０は、図１〜図３に示す如く、帯状の金属製バンド本体５１を環状部４４の周囲に巻回し、バンド本体５１の巻回した両端部を重ね合せて接合し、その重ね合わせ接合部５２の外周に何らかの係合固着手段からなる接合突部５２Ａが形成される。
【００２６】
締付バンド５０は、バンド本体５１の両端部を重ね合せて接合する構造として、従来公知の各種構造を採用できるが、バンド本体５１の重ね合わせ接合部５２の外周には概ね上述の何らかの係合固着手段からなる接合突部５２Ａが突出することになる。締付バンド５０の一例として、バンド本体５１の一端部に設けた係合爪をバンド本体５１の他端部に設けた係合孔に挿入し、バンド本体５１の一部を外側に屈曲して縮径かしめ用膨出部を設ける等により縮径してブーツの小径取付部４２を緊締可能にするものにあっては、係合爪〜かしめ用膨出部等が何らかの係合固着手段からなる接合突部５２Ａになる。
【００２７】
しかるに、ブーツ４０は、図１〜図３に示す如く、小径取付部４２の環状部４４を挟む両側に、締付バンド５０のバンド本体５１及び重ね合わせ接合部５２より径方向の外方に張出る鍔状の張出部４５、４６を設ける。張出部４５、４６は、大径取付部４１、小径取付部４２及び屈曲部４３と一体成形体をなすゴム状弾性体にて構成される。
【００２８】
本実施例の張出部４５、４６は、小径取付部４２の周方向に連続する円環状の鍔状をなし、それらの外径レベルは環状部４４に被着された締付バンド５０の接合突部５２Ａ（締付バンド５０の最大外径部）より外方に張り出し高さＨだけ張出る（図３（Ｂ））。尚、本発明の実施において、張出部４５、４６は、小径取付部４２の周方向に断続状をなすものでも良い。
【００２９】
更に、ブーツ４０の小径取付部４２の環状部４４に被着された締付バンド５０を覆うプロテクタ６０を、環状部４４の両側に設けた張出部４５、４６の周囲に被着する。
【００３０】
プロテクタ６０は、ゴム等の弾性材料からなり、両側の張出部４５、４６の周囲に弾性的縮径力をもって被着される。プロテクタ６０は、周方向に概ね平板状の同一断面を連続させた環状体をなす。張出部４５、４６の外径Ｊに対し、プロテクタ６０の自由状態の内径Ｋを小さくしてあり（図３（Ａ））、自由状態から拡径されたプロテクタ６０を張出部４５、４６に被せ、プロテクタ６０の弾性的縮径習性に起因する自らの弾性的縮径力により、該プロテクタ６０を張出部４５、４６の外周面に密に被着する。
【００３１】
プロテクタ６０は、両側の張出部４５、４６と軸方向で係合する中央抜け止め凸部６１を内周の全周に連続的（断続的でも可）に備える。プロテクタ６０は、両側の張出部４５、４６の側壁間（環状部４４の溝）に抜け止め凸部６１を概ね隙間なく嵌合し、両側の張出部４５、４６により軸方向へのずれ移動を防止される。抜け止め凸部６１の内面は、締付バンド５０の接合突部５２Ａに接しても良いが、接しないことが好ましい。
【００３２】
本実施例によれば以下の作用効果を奏する。
(a)自在継手用ブーツ４０の小径取付部４２において締付バンド５０が被着される環状部４４の両側に、締付バンド５０より径方向の外方に張出る張出部４５、４６を設け、締付バンド５０を覆うプロテクタ６０を両側の張出部４５、４６の周囲に被着した。張出部４５、４６は小径取付部４２の周方向の全周に連続状をなしても良く、断続状をなしても良い。従って、締付バンド５０（バンド本体５１〜接合突部５２Ａ）が小径取付部４２の外面上にて張出部４５、４６よりも外方に突出することがなく、しかもプロテクタ６０により覆われる。このため、自在継手用ブーツ４０を取付けた２本のシャフト１１、１２が互いにスライドかつ屈曲するとき、小径取付部４２の張出部４５、４６の周囲に被着したプロテクタ６０が、ブーツ４０の大径取付部４１〜屈曲部４３の外面に先に当接して、換言すれば金属製締付バンド５０（バンド本体５１〜接合突部５２Ａ）がゴム製大径取付部４１〜屈曲部４３の外面に直接干渉することを防止し、自在継手用ブーツ４０の破損を簡易に回避する。
【００３３】
(b)締付バンド５０が被着される小径取付部４２の環状部４４を溝状にすることにより、小径取付部４２への締付バンド５０の取付性を向上できる。
【００３４】
(c)小径取付部４２において締付バンド５０が被着される環状部４４の両側に設けられる張出部４５、４６を鍔状にし、張出部４５、４６を小径取付部４２の周方向の全周に連続状をなすものとすることにより、締付バンド５０（バンド本体５１〜接合突部５２Ａ）のブーツ４０への干渉を確実に防止できる。
【００３５】
(d)小径取付部４２において締付バンド５０が被着される環状部４４の両側に設けられる張出部４５、４６が締付バンド５０の接合突部５２Ａより径方向の外方に張り出るように設けられるから、締付バンド５０の接合突部５２Ａが自在継手用ブーツ４０の大径取付部４１〜屈曲部４３の外面に直接干渉することを確実に防止できる。
【００３６】
(e)プロテクタ６０が弾性材料からなり、両側の張出部４５、４６の周囲に弾性的縮径力をもって被着されるようにしたから、プロテクタ６０の取付性を向上できる。プロテクタ６０がゴム等の弾性柔軟材料により構成されるとき、ブーツ４０の損傷を確実に防止できる。
【００３７】
(f)プロテクタ６０が両側の張出部４５、４６と軸方向で係合する抜け止め凸部６１を備えることにより、プロテクタ６０の単純な形状により、プロテクタ６０の脱落を防止できる。
【００３８】
図５のプロテクタ７０は、図１〜図４のプロテクタ６０の変形例である。プロテクタ７０は、プロテクタ６０の抜け止め凸部６１と同様の中央抜け止め凸部７１を内周の全周に連続的（断続的でも可）に備えるとともに、ブーツ４０の一側の張出部４５を抜け止め凸部７１の一端面とともに挟持する片側把持突片７２を一端部の内周の全周に連続的（断続的でも可）に備える。プロテクタ７０によれば、ブーツ４０の張出部４５、４６への取付安定性を向上できる。
【００３９】
図６のプロテクタ８０は、図１〜図４のプロテクタ６０の変形例である。プロテクタ８０は、ブーツ４０の両側の張出部４５、４６にそれらの外側から係合する両側抜け止め凸部８１、８２を、両端部の内周の全周に連続的（断続的でも可）に備える。プロテクタ８０によれば、ブーツ４０の張出部４５、４６への取付性及びシール性を向上できる。
【００４０】
以上、本発明の実施例を図面により詳述したが、本発明の具体的な構成はこの実施例に限られるものではなく、本発明の要旨を逸脱しない範囲の設計の変更等があっても本発明に含まれる。
【図面の簡単な説明】
【００４１】
【図１】図１は自在継手用ブーツのプロペラシャフトへの取付構造を示す断面図である。
【図２】図２は図１の斜視図である。
【図３】図３は自在継手用ブーツと締付バンドとプロテクタを示す断面図である。
【図４】図４は自在継手用ブーツの屈曲状態を示す断面図である。
【図５】図５はプロテクタの変形例を示す断面図である。
【図６】図６はプロテクタの変形例を示す断面図である。
【図７】図７は従来の自在継手用ブーツと締付バンドを示す断面図である。
【図８】図８は従来の自在継手用ブーツの屈曲状態を示す断面図である。
【符号の説明】
【００４２】
１１  第１プロペラシャフト
１２  第２プロペラシャフト
２０  自在継手
２０Ａ  接続空間
４０  ブーツ
４１  大径取付部
４２  小径取付部
４３  屈曲部
４４  環状部
４５、４６  張出部
５０締付バンド
５１  バンド本体
５２  重ね合わせ接合部
５２Ａ  接合突部
６０、７０、８０  プロテクタ
６１、７１、８１、８２  抜け止め凸部
【図１】
2007051677.tif 000003
【図２】
2007051677.tif 000004
【図３】
2007051677.tif 000005
【図４】
2007051677.tif 000006
【図５】
2007051677.tif 000007
【図６】
2007051677.tif 000008
【図７】
2007051677.tif 000009
【図８】
2007051677.tif 000010